(57)【要約】【課題】  地上波テレビジョン放送受信用の受信機器として市販の携帯電話機器をそのまま用いつつ、小規模な施設内で用いる小規模な中継装置を提供する。【解決手段】  地上波デジタル放送信号中継装置１００の電波信号入力回路１０は屋外の地上波テレビジョン放送電波用の受信アンテナ３００に同軸ケーブルでつながれているポート３１０に接続され、屋外に存在する地上波テレビジョン放送電波を電波信号入力回路１０に入力する。地上波テレビジョン放送電波信号は電波信号入力回路１０から信号増幅回路２０を経て電波信号出力回路３０から屋内に対して出力される。屋内に中継される地上波テレビジョン放送電波は屋外に存在する地上波テレビジョン放送電波と同じ周波数を持つので、使用しているワンセグ対応の携帯電話をそのまま用いて屋外とまったく変わらない視聴が可能となる。【選択図】図４
2009170616.tif 000002
【特許請求の範囲】
【請求項１】
回路基板面上に描かれた導体を素材とする回路パターンの所定箇所において前記回路基板面上で重ならない波形状の繰り返しの折り曲げパターンを設け、
導通する電気信号が少なくとも４７０〜７００ＭＨｚの範囲の周波数において、前記折り曲げパターンによりインダクタンス成分を持たせたことを特徴とする平面インダクタンス回路。
【請求項２】
電波信号入力回路と信号増幅回路と電波信号出力回路を備え、同一周波数パススルー方式の伝送方式を採用した中継装置において、
前記電波信号入力回路と前記信号増幅回路と前記電波信号出力回路上に含まれるインダクタンス成分を請求項１に記載の平面インダクタンス回路により形成し、前記電波信号入力回路に入力される電波信号が４７０〜７００ＭＨｚの周波数を持つ地上波デジタル放送信号であり、前記電波信号出力回路から出力される電波信号が前記電波信号と同じ周波数を持つ前記地上波デジタル放送信号としても発振が低減される、平面インダクタンス回路を適用した地上波デジタル放送信号中継装置。
【発明の詳細な説明】
【技術分野】
【０００１】
本発明は、インダクタンス成分を生じる電気回路および地上波テレビジョン放送電波を中継する中継装置の技術分野に関する。
【背景技術】
【０００２】
従来技術において、地上波テレビジョン放送電波が受信しにくいいわゆる難視聴地域向けなどに地上波テレビジョン放送電波を中継するためのテレビジョン放送信号中継装置が導入されている。地上波テレビジョン放送信号中継装置とは地上波テレビジョン放送電波を受信し、山陰や谷間、大規模建築物の裏側など地上波テレビジョン放送電波が直接受信しにくい地域に対して小規模な通信設備などを用いて地上波テレビジョン放送電波を再送信する装置である。
また、近年、主に携帯電話などの携帯機器を受信装置として用いて地上デジタルテレビジョン放送を受信するいわゆるワンセグ（携帯電話・移動体端末向けの1セグメント部分受信サービス。以下、ワンセグと略記する。）対応の携帯電話などが販売されて使用し始められている。
【０００３】
従来技術において、地上波テレビジョン放送信号中継装置の伝送方式にはパススルー方式とトランスモジュレーション方式がある。
パススルー方式とは、受信した地上波テレビジョン放送信号の搬送波に含まれている放送信号を加工せずにそのまま再送信する方式である。パススルー方式はさらに同一周波数パススルー方式と周波数変換パススルー方式に分けられる。
【０００４】
同一周波数パススルー方式は文字通り地上波テレビジョン放送電波を中継装置で受信しそのまま同じ周波数で再送信する方式である。
【０００５】
同一周波数パススルー方式のメリットとしては、受信機器であるテレビジョンセットにおいて受信用に特別な変換装置などは必要なく通常の機器構成そのままで使用できることが挙げられる。
【０００６】
同一周波数パススルー方式のデメリットとしては、無線方式には適用が困難である点が挙げられる。同一周波数パススルー方式はまったく同じ周波数で再送信する方式であるため、信号入力装置と信号出力装置が近くに設けられる小規模中継装置であると無線方式の場合には出力装置から発射された電波が入力装置側に回り込んで発振や混信が起こりやすくなってしまう。そこで、発振防止機能を搭載した高性能な中継装置や有線方式のケーブルテレビジョン向けの中継装置に適用される。また、通常、中継装置にはコイルなどインピーダンスマッチング用のインダクタンス成分を備えており当該インダクタンス成分を介して発振や混信が起こることが多い。そのためいわゆる小型の携帯電話などを受信機器とするワンセグ向けの地上波テレビジョン放送の中継装置の伝送方式には不向きな方式であると言える。
【０００７】
周波数変換パススルー方式は中継装置内の周波数変換器で一旦中継用の周波数に変換して再送信する方式である。
【０００８】
周波数変換パススルー方式のメリットとしては、無線方式には向いている方式である点が挙げられる。周波数変換パススルー方式は中継前の周波数とは異なる周波数で再送信する方式であるため、信号入力装置と信号出力装置が近くに設けられる小規模中継装置であっても出力装置から発射された電波が入力装置側に回り込んでも発振や混信が起こりにくい。小規模施設向けの中継装置にも適用することができる。いわゆる小型の携帯電話などを受信機器とするワンセグ向けの地上波テレビジョン放送の中継装置の伝送方式には向いている方式であると言える。
【０００９】
周波数変換パススルー方式のデメリットとしては、市販の機器がそのまま使用できないことが挙げられる。つまり、中継時に変換してしまった地上波テレビジョン放送電波の周波数を受信機器側で元の周波数に戻す周波数変換器を設けなくてはならない。固定型の機器としていわゆるセットトップボックスを設けて視聴することが多い。いわゆる小型の携帯電話などを受信機器とするワンセグ向けの地上波テレビジョン放送の中継装置の伝送方式には不向きな方式であると言える。
【００１０】
トランスモジュレーション方式とは、いわゆる変調方式を変えて中継する方式であり、受信した地上波テレビジョン放送電波信号中継伝送用の変調方式（たとえば６４ＱＡＭ）に再変換して伝送し、受信側において当該変調方式に対応する復調を行う専用受信機（セットトップボックス）で受信して視聴する方式である。
【００１１】
トランスモジュレーション方式のメリットとしては、伝送帯域が節約できる（空きチャンネルが連続していなくてもよい）という点が挙げられる。
トランスモジュレーション方式は主に有料テレビジョン放送向けに供給側が導入するものでいわゆるスクランブルをかけて復調が可能な専用受信機を持つ者のみが視聴できるようにするものである。
【００１２】
デメリットは周波数変換パススルー方式と同様、市販の機器がそのまま使用できないことであり、いわゆる小型の携帯電話などを受信機器とするワンセグ向けの地上波テレビジョン放送の中継装置の伝送方式には不向きな方式であると言える。
【００１３】
【特許文献１】特開平１０−１３３６８号公報
【特許文献２】特開２００５−０１２５８３号公報
【発明の開示】
【発明が解決しようとする課題】
【００１４】
いわゆる地上波テレビジョン放送が始まり、携帯電話を受信機器として視聴するいわゆるワンセグ対応の携帯電話のますますの普及が見込まれている。携帯電話などを受信機器として使用して視聴する場合、利用者は屋外の路上などで地上波テレビジョン放送電波を受信することもあり、自宅などの建物の中で地上波テレビジョン放送電波を受信することも想定される。ここで、都会の路上などでは比較的地上波テレビジョン放送電波の受信環境は良いため問題なく受信できる場合が多いと想定されている。しかし、自宅内などの建物の中では比較的地上波テレビジョン放送電波の受信環境が悪いため受信しづらい場合が多いと想定されている。実際、自宅内などの建物の中では地上波テレビジョン放送電波を受信しづらいケースが見られる。そのため、自宅内などの建物内に地上波テレビジョン放送電波を中継する極めて小規模な中継装置が望まれている。
【００１５】
現在、ワンセグ対応向けの地上波テレビジョン放送の中継装置自体、市場には出回っておらず、その伝送方式も確立していないが、上記従来技術を鑑みれば以下のとおりである。
【００１６】
まず、同一周波数パススルー方式は、受信機器側の装置構成は特に変更がいらないため、いわゆる携帯電話などを受信機器とする場合には最適な方式である。しかし、上記したように、小規模な中継装置では信号入力装置と信号出力装置が近接していると想定されるため、いわゆる信号の回り込みよる発振や混信が生じてしまうため結局使用できない。
【００１７】
次に、周波数変換パススルー方式は、受信機器側の装置構成が周波数変換に対応するものでなければならない。いわゆる携帯電話などを受信機器とする場合には不向きである。携帯電話機器の高機能化により受信電波の周波数帯をスキャンし、複数の周波数パターンに対応するような装置構成を想定することも不可能ではない。しかし、受信電波の周波数帯をスキャンする方式の場合、屋外にてワンセグ対応携帯電話によって地上波テレビジョン放送電波を受信している状態から屋内に入って中継装置により周波数変換された地上波テレビジョン放送電波を受信し直す状態となる場合、一時的に地上波テレビジョン放送の視聴を中断せざるを得なくなり、使い勝手が低下してしまうことは否めない。
【００１８】
次に、トランスモジュレーション方式の場合、受信機器側の装置構成が特別な変調方式に対応するものでなければならない。中継器と携帯電話機との間の復変調方式が合致していなければならず、地上波テレビジョン放送電波の中継用の復変調方式が標準化されない限り同一メーカーのものを使用せざるを得ず、現実問題として不都合が多い。
【００１９】
以上より、従来技術においては、地上波テレビジョン放送受信用の受信機器としては市販の携帯電話機器をそのまま用いつつ、自宅などの小規模な施設内で用いる小規模な中継装置として適切なものは確立されていない。
【００２０】
本発明は、上記従来の問題点に鑑み案出されたものであって、地上波テレビジョン放送受信用の受信機器としては市販の携帯電話機器をそのまま用いつつ、自宅などの小規模な施設内で用いる小規模な中継装置を提供することを目的とする。
【課題を解決するための手段】
【００２１】
上記目的を達成するため、本発明の地上波デジタル放送信号中継装置は、以下の本発明の平面インダクタンス回路を要素として含み、受発信電波の発振や混信を防止している。
【００２２】
本発明の平面インダクタンス回路は、回路基板面上に描かれた導体を素材とする回路パターンの所定箇所において前記回路基板面上で重ならない波形状の繰り返しの折り曲げパターンを設け、導通する電気信号が少なくとも４７０〜７００ＭＨｚの範囲の周波数において、前記折り曲げパターンによりインダクタンス成分を持たせたことを特徴とする。
【００２３】
本発明の地上波デジタル放送信号中継装置は上記の本発明の平面インダクタンス回路を適用したものである。本発明の地上波デジタル放送信号中継装置は、電波信号入力回路と信号増幅回路と電波信号出力回路を備え、同一周波数パススルー方式の伝送方式を採用した中継装置において、前記電波信号入力回路と前記信号増幅回路と前記電波信号出力回路上に含まれるインピーダンスマッチング用のインダクタンス成分を上記の平面インダクタンス回路により形成し、前記電波信号入力回路に入力される電波信号が４７０〜７００ＭＨｚの周波数を持つ地上波デジタル放送信号であり前記電波信号出力回路から出力される電波信号が前記電波信号と同じ周波数を持つ前記地上波デジタル放送信号としても発振や混信が低減されるものである。
【発明の効果】
【００２４】
本発明の平面インダクタンス回路によれば、入力側から入力する電波信号と同一周波数の電波信号を出力側から出力する場合であってもいわゆる回り込みによる回路内での発振や混信が生じるおそれが少なくなる。
また、本発明の地上波デジタル放送信号中継装置によれば、伝送方式を同一周波数パススルー方式を採用しつつ小規模な装置構成で電波信号入力回路と電波信号出力回路とが近接している条件であっても、４７０〜７００ＭＨｚの周波数を持つ地上波デジタル放送信号を入力信号とし、同じ周波数を持つ電波信号を出力信号として中継しても回り込みによる発振や混信が生じず、かつ、受信機器である携帯電話機器はそのまま使用することができる。
【発明を実施するための最良の形態】
【００２５】
以下、図面を参照しつつ、本発明の平面インダクタンス回路およびそれを適用した地上波デジタル放送信号中継装置の実施例を説明する。ただし、本発明の技術的範囲は以下の実施形態に示した具体的な用途や形状・寸法などには限定されない。
【実施例１】
【００２６】
実施例１として本発明の地上波デジタル放送信号中継装置の構成例を示す。
本発明の地上波デジタル放送信号中継装置は、伝送方式として同一周波数パススルー方式を採用しつつ小規模な装置構成で電波信号入力回路と電波信号出力回路とが近接している条件であっても、４７０〜７００ＭＨｚの周波数を持つ地上波デジタル放送信号を中継できるものである。
【００２７】
図１は本発明の地上波デジタル放送信号中継装置の内部に搭載された回路構成を示すブロック図である。
図２は本発明の地上波デジタル放送信号中継装置の内部に搭載された回路構成を示す回路図である。
図３は本発明の地上波デジタル放送信号中継装置の内部に搭載された回路基板上の回路パターンを模式的に示したものである。
【００２８】
図１に示すように、本発明の地上波デジタル放送信号中継装置１００は、電波信号入力回路１０、信号増幅回路２０、電波信号出力回路３０を備えている。
ここで、電波信号入力回路１０にはインピーダンスマッチング用のインダクタンス成分が含まれているが、通常の立体的な巻線コイルではなく、本発明では特別なインダクタンス回路を用いている。また、信号増幅回路２０には信号増幅用のインダクタンス成分が含まれているが、通常の立体的な巻線コイルではなく、本発明では特別なインダクタンス回路を用いている。
【００２９】
図３において回路基板面上に描かれた平面インダクタンス回路４０は、銅線など導体を素材とする回路パターンであるが、回路基板面上で重ならないように波形状の繰り返しの折り曲げパターンを備えており、高周波の信号に対してはインダクタンス成分を持つものとなっている。なお、平面インダクタンス回路４０以外のＩＣ回路や抵抗など他の回路要素の部分は本発明の平面インダクタンス回路４０の説明上は重要ではないのでここではＩＣ回路などは省いて描いているかシャドウで黒く反転させている。
【００３０】
図３に示すように波状の繰り返しの折り曲げパターンによりインダクタンス成分を持たせることは従来技術にはなく、本発明の発明者の知見により発明されたものである。
本発明の発明者は様々な実験を繰り返し、平面インダクタンス回路４０が備える波形状の繰り返しの折り曲げパターンを波と見た場合の波長、波高、周波数などの諸条件により高周波信号に対してインダクタンス成分を生じ、電気信号が少なくとも４７０〜７００ＭＨｚの範囲の周波数において所望のインダクタンス成分を持たせるように形状を工夫する手法を見出した。
【００３１】
本実施例１にかかる図３の回路パターンの構成例では電波信号入力回路１０に含まれるべきインダクタンス成分を平面インダクタンス回路４０により形成しているが、他の回路パターンの構成例においても、地上波デジタル放送信号中継装置を形成する電波信号入力回路１０、信号増幅回路２０、電波信号出力回路３０上に含まれるインダクタンス成分を平面インダクタンス回路４０により形成すれば良い。なお、各回路内において必要とされるインダクタンス成分となるように平面インダクタンス回路４０における波状の繰り返しの折り曲げ形状を波と見た場合の波長、波高、周波数などの諸条件を調整すれば良い。
【００３２】
本発明の地上波デジタル放送信号中継装置１００は、中継伝送方式として同一周波数パススルー方式を採用しており、図１に示すように本発明の地上波デジタル放送信号中継装置１００の電波信号入力回路１０に入力される電波信号が４７０〜７００ＭＨｚの周波数を持つ地上波デジタル放送信号であり、電波信号出力回路３０が出力する電波信号は入力された電波信号と同じ周波数を持つ地上波デジタル放送信号となっている。
【００３３】
インダクタンス成分を有する回路要素が通常の立体的な巻線コイルであれば電波信号出力回路３０から出力される電波信号である地上波デジタル放送信号が周囲に放射された後、電波信号入力回路１０に直接入り込んでしまい、この回り込みが無限ループを形成することにより発振や混信が生じてしまうが、本発明の地上波デジタル放送信号中継装置１００ではインダクタンス成分が平面インダクタンス回路４０で形成されているため、インダクタンス成分を有する空間領域が小さくなっている。そのため出力側から出力された電波がインダクタンス成分を有する空間領域内に回り込んで回路内で発振や混信するおそれが低減されている。
【００３４】
次に、本発明の地上波デジタル放送信号中継装置の使用方法の一例を説明する。本発明の地上波デジタル放送信号中継装置１００はいわゆる建物の中において、地上波テレビジョン放送電波を中継するものである。
【００３５】
図４は本発明の地上波デジタル放送信号中継装置の使用方法の一例を説明する図である。図４に示すように、屋外では地上波テレビジョン放送電波が存在している。屋外では利用者はいわゆるワンセグ対応の地上波テレビジョン放送受信機能を持つ携帯電話２００などを用いて地上波テレビジョン放送を受信して視聴することができる。
ビルディングやマンションなどの鉄筋コンクリート製の建築物や一戸建てなどの背の低い建築物の屋内においては、地上波テレビジョン放送電波が届きにくく視聴できない場合がある。そこで、本発明の地上波デジタル放送信号中継装置１００を用いて地上波テレビジョン放送電波を屋内に対して中継する。
【００３６】
本発明の地上波デジタル放送信号中継装置１００の電波信号入力回路１０の一部は屋外に設けられている地上波テレビジョン放送電波用の受信アンテナ３００に同軸ケーブルでつながれているポート３１０に接続し、当該受信アンテナ３００を介して屋外に存在する地上波テレビジョン放送電波を電波信号入力回路１０に入力する。
【００３７】
地上波テレビジョン放送電波信号は電波信号入力回路１０から信号増幅回路２０を経て電波信号出力回路３０から屋内に対して出力される。ここで、伝送方式は同一周波数パススルー方式の伝送方式が採用されており、屋内に中継される地上波テレビジョン放送電波は屋外に存在する地上波テレビジョン放送電波と同じ周波数を持つものとなっている。
つまり、屋内に中継される地上波テレビジョン放送電波は屋外に存在する地上波テレビジョン放送電波と同じ周波数を持つので、使用しているワンセグ対応の携帯電話をそのまま用いて屋外とまったく変わらない視聴が可能となる。
【００３８】
屋内に存在する地上波テレビジョン放送電波と屋外に存在する地上波テレビジョン放送電波がまったく同じ周波数であるため、屋外でワンセグ対応の携帯電話である番組を視聴している状態においてそのまま屋内に移動したとしても、シームレスに地上波テレビジョン放送電波をそのまま受信し続けることができ、地上波テレビジョン放送電波を受信するためにあらためて受信周波数帯をスキャンして一時的に視聴を中断するということは不要である。
【００３９】
また、本発明の地上波デジタル放送信号中継装置１００は平面インダクタンス回路４０を用いているので発振現象や混信現象が抑えられ、発振現象や混信現象により視聴画面が乱れるという不具合も発生しない。
【００４０】
次に、本発明の地上波デジタル放送信号中継装置１００において、同一周波数パススルー方式の伝送方式を採用していても平面インダクタンス回路４０により発振現象や混信現象が抑えられていることを実験により検証する。
【００４１】
検証は兵庫県姫路市内の建物の中で行った。
検証を分かりやすくするため、検証に用いた電波は実際の地上波デジタル放送信号ではなく、１００ＭＨｚから１３００ＭＨｚまで１００ＭＨｚきざみのパルス波を送り、そのパルス波の中継状態を見ることで検証を行った。つまり、図１〜図３に示した回路において入力回路部分に上記の１００ＭＨｚきざみのパルス信号発信源を接続した。
【００４２】
図５は、検証場所となった建物の中に外界から室内へ直接到達している電波信号の波形を測定した図である。外界からの電磁波を遮断するような実験設備ではではなく、通常の建物の中で行ったので外界から室内へ直接到達している電波信号として図５に示すものが観測された。なお、利用者が利用する携帯電話などの受信端末はこの外界から室内へ直接到達している電波信号は利用せず、外界からアンテナを介して地上波デジタル放送信号中継装置１００が受信した電波信号を中継して室内に再発射した電波信号を利用するので、図５に示す外界から室内へ直接到達している電波信号はノイズと考えて良い。
【００４３】
図６は、本発明の地上波デジタル放送信号中継装置１００により信号増幅され、出力アンテナで放射される前の出力部に現れているものを直接観測した波形を示す図である。図６で注目すべきものは１００ＭＨｚきざみに見られるパルス波形部分である。その他の背の低く細かい波形部分は図５に示した外界から室内へ直接到達して出力されたノイズである。
【００４４】
図７は、本発明の地上波デジタル放送信号中継装置１００により信号増幅され、出力アンテナで放射された信号を５０ｃｍ離れた位置において観測した信号波形を示す図である。つまり、本発明の地上波デジタル放送信号中継装置１００から５０ｃｍ離れた位置で利用者の携帯端末などの受信端末において受信される信号波形と考えて良い。
【００４５】
図７においても注目すべきものは１００ＭＨｚきざみに見られるパルス波形部分である。図６と図７を比較して分かるように、１００ＭＨｚきざみに見られるパルス波形は減衰しているが、視聴可能なレベルで放射されている。なお、実際にいわゆるワンセグ放送を中継した場合、本発明の地上波デジタル放送信号中継装置１００を用いない場合にはワンセグ視聴機能付携帯電話ではワンセグ放送が視聴できなかったが、本発明の地上波デジタル放送信号中継装置１００を用いた場合には５０ｃｍ離れた地点でワンセグ視聴機能付携帯電話でワンセグ放送が視聴できた。
【００４６】
図８は、本発明の地上波デジタル放送信号中継装置１００により信号増幅され、出力アンテナで放射された信号を１５０ｃｍ離れた位置において観測した信号波形である。つまり、本発明の地上波デジタル放送信号中継装置１００から１５０ｃｍ離れた位置で利用者の携帯端末などの受信端末において受信される信号波形と考えて良い。
【００４７】
図８においても注目すべきものは１００ＭＨｚきざみに見られるパルス波形部分である。図６、図７、図８を比較して分かるように、１００ＭＨｚきざみに見られるパルス波形は受信位置が５０ｃｍ、１５０ｃｍと離れるほど減衰していくが、視聴可能なレベルで放射されている。なお、実際にいわゆるワンセグ放送を中継した場合、本発明の地上波デジタル放送信号中継装置１００を用いない場合にはワンセグ視聴機能付携帯電話ではワンセグ放送が視聴できなかったが、本発明の地上波デジタル放送信号中継装置１００を用いた場合には１５０ｃｍ離れた地点でもワンセグ視聴機能付携帯電話によりワンセグ放送が視聴できた。
【００４８】
図９は、比較のために本発明の平面インダクタンス回路４０の波形状の効果を確認する対照実験である。図９は本発明の地上波デジタル放送信号中継装置１００において平面インダクタンス回路４０以外は同じ回路を用い、本発明の平面インダクタンス回路４０の波形状の繰り返しの折り曲げパターンではなく、同じ長さの直線パターンとしたものを用いて測定したものである。
【００４９】
直線パターンの長さは本発明の平面インダクタンス回路４０の波形状の繰り返しの折り曲げパターンをまっすぐに展開したものと同じ長さとした。つまり、抵抗値が等しい直線パターンとし、波形状の繰り返しの折り曲げパターンによる効果が分かるように配慮した。また、測定は出力アンテナで放射される前の出力部に現れているものを直接観測した波形である。よって、図６と図９を比較すれば良いこととなる。
【００５０】
図９においても注目すべきものは１００ＭＨｚきざみに見られるパルス波形部分である。図６と図９を比較して分かるように、１００ＭＨｚ〜３００ＭＨｚ付近と８００ＭＨｚ〜１３００ＭＨｚ付近のパルス波形は両者間においてほとんど差がない。しかし、４００ＭＨｚ〜７００ＭＨｚにかけては図９のパルス波形に比べて図６のパルス波形は信号レベルが高いものとなっている。つまり、４００ＭＨｚ〜７００ＭＨｚにかけては、比較対照とした直線パターンより、本発明の平面インダクタンス回路４０が持つ波形状の繰り返しの折り曲げパターンの方が信号レベルが高いものとなっている。地上波デジタル放送信号中継装置１００において平面インダクタンス回路４０が設けられている部分は本来、インダクタンス要素が入るものとして設計されており、直線パターンよりも波形状の繰り返しの折り曲げパターンの方が増幅された出力信号レベルが大きいことから、波形状の繰り返しの折り曲げパターンがインダクタンス要素として機能していることが検証できた。
【００５１】
次に、本発明の平面インダクタンス回路４０が持つ波形状の繰り返しの折り曲げパターンにおける線幅のインダクタンスへの影響について検証した。検証は平面インダクタンス回路４０が持つ波形状の繰り返しの折り曲げパターンにおける線幅のみを変え、その他は同じ回路を用いて信号パターンの増幅レベルを調べた。
上記図６から図９の実験は実験用の１００ＭＨｚきざみのパルス信号を用いたが、ここでは実際に屋外アンテナで受けた「地上波デジタル放送信号」を本発明の地上波デジタル放送信号中継装置により室内に再放射した中継信号を観測して実験した。
【００５２】
図１０は、図３に示した回路パターンにおいて、平面インダクタンス回路４０の波形状の繰り返しの折り曲げパターンで線幅を０．２ｍｍとしたものを用いて測定した増幅信号の信号波形を示す図である。なお、変化分を分かりやすくするように、測定範囲を４７０ＭＨｚから７７０ＭＨｚとした。図１０中、バンド状に見られる信号が室内に向けて再放射された地上波デジタル放送信号である。
【００５３】
図１１は、図３に示した回路パターンにおいて、平面インダクタンス回路４０の波形状の繰り返しの折り曲げパターンで線幅を０．１５ｍｍとしたものを用いて測定した増幅信号の信号波形である。測定範囲は４７０ＭＨｚから７７０ＭＨｚとして図１０の場合と同様とした。図１１中、バンド状に見られる信号が室内に向けて再放射された地上波デジタル放送信号である。
【００５４】
図１０と図１１を比較して分かるように、０．１５ｍｍの線幅の方が０．２ｍｍの線幅よりも室内に向けて再放射された地上波デジタル放送信号の信号増幅レベルが高いことが分かる。つまり、０．１５ｍｍの線幅の方が０．２ｍｍの線幅よりもインダクタンスが大きくなっている。この比較実験から、平面インダクタンス回路４０の波形状の繰り返しの折り曲げパターンの線幅が細い方がインダクタンスが大きくなることが検証できた。
【００５５】
以上、本発明の地上波デジタル放送信号中継装置における好ましい実施例を図示して説明してきたが、本発明の技術的範囲を逸脱することなく種々の変更が可能であることは理解されるであろう。
【産業上の利用可能性】
【００５６】
本発明は同一周波数パススルー方式の伝送方式を採用した中継装置に対して広く適用することができる。
【図面の簡単な説明】
【００５７】
【図１】本発明の地上波デジタル放送信号中継装置の内部に搭載された回路構成を示すブロック図
【図２】本発明の地上波デジタル放送信号中継装置の内部に搭載された回路構成を示す回路図
【図３】本発明の地上波デジタル放送信号中継装置の内部に搭載された回路基板上の回路パターンを模式的に示した図
【図４】本発明の地上波デジタル放送信号中継装置の使用方法の一例を説明する図
【図５】検証場所となった建物の中に外界から室内へ直接到達している電波信号の波形を測定した
【図６】本発明の地上波デジタル放送信号中継装置１００により信号増幅され、出力アンテナで放射される前の出力部の波形を直接観測したものを示す図
【図７】本発明の地上波デジタル放送信号中継装置１００により信号増幅され、出力アンテナで放射された信号を５０ｃｍ離れた位置において観測した信号波形を示す図
【図８】本発明の地上波デジタル放送信号中継装置１００により信号増幅され、出力アンテナで放射された信号を１５０ｃｍ離れた位置において観測した信号波形を示す図
【図９】本発明の地上波デジタル放送信号中継装置１００において本発明の平面インダクタンス回路４０において同じ長さの直線パターンとしたものを用いて測定した信号波形を示す図
【図１０】平面インダクタンス回路４０の波形状の繰り返しの折り曲げパターンにおいて０．２ｍｍの線幅としたものを用いて測定した増幅信号の信号波形を示す図
【図１１】平面インダクタンス回路４０の波形状の繰り返しの折り曲げパターンにおいて０．１５ｍｍの線幅としたものを用いて測定した増幅信号の信号波形を示す図
【符号の説明】
【００５８】
１０  電波信号入力回路
２０  信号増幅回路
３０  電波信号出力回路
４０  平面インダクタンス回路
１００  地上波デジタル放送信号中継装置
２００  ワンセグ対応携帯電話
３００  地上波テレビジョン放送電波用の受信アンテナ
３１０  ポート
【図１】
2009170616.tif 000003
【図２】
2009170616.tif 000004
【図３】
2009170616.tif 000005
【図４】
2009170616.tif 000006
【図５】
2009170616.tif 000007
【図６】
2009170616.tif 000008
【図７】
2009170616.tif 000009
【図８】
2009170616.tif 000010
【図９】
2009170616.tif 000011
【図１０】
2009170616.tif 000012
【図１１】
2009170616.tif 000013